(57)【要約】      （修正有）【課題】ソーラーパネルスタンド及び、モジュール化、ユニット化され、架設コストが低減されるソーラーパネルスタンドを含むソーラーシステムを提供する。【解決手段】ソーラーパネルスタンドは、複数組のスタンドを備え、各組のスタンドは４本の支柱１１０と、２本のベース縦材１２０と、２本のベース横材１３０と、複数本の受梁１７０と、複数本の前束柱１５０と、複数本の後束柱１６０と、複数本のモジュール受材１８０とを含む。使用される部材は規格化され、架設されるスタンドはモジュール化、ユニット化され、架設コストを低減させる。スタンドがモジュール化された後、縦方向及び横方向に容易に拡張可能になり、発電量を増加させ、ユニットあたりの発電量のコストを低下させる。【選択図】図２
0003215694.tif 000002
【実用新案登録請求の範囲】
【請求項１】
第一組スタンドと、２本の第一ベース縦材と、２本の第一ベース横材と、複数本の第一受梁と、複数本の第一前束柱と、複数本の第一後束柱と、及び複数本の第一モジュール受材とを備えるソーラーパネルスタンドであって、
前記第一組スタンドは、地面に直立させるために用いられる４本の第一支柱であって、前記４本の第一支柱は矩形の四隅にそれぞれ位置され、その内の２本の第一支柱は他の２本の第一支柱の後方にそれぞれ位置され、且つその内の２本の第一支柱は他の２本の第一支柱の右側にそれぞれ位置され、
前記２本の第一ベース縦材は、縦方向に水平に設置され、前記４本の第一支柱の内の２本の頂部に各々連結され、
前記２本の第一ベース横材は、横方向に水平に設置され、前記４本の第一支柱の内の２本の頂部に各々連結され、且つ前記２本の第一ベース縦材と共に包囲させることにより口の字型を形成させ、
前記複数本の第一受梁は、縦方向に設置され、
前記複数本の第一前束柱は、前記２本の第一ベース横材の内の前方の第一ベース横材に直立するようにロックされ、これら前記第一受梁をそれぞれ支持させ、
前記複数本の第一後束柱は、前記２本の第一ベース横材の内の後方の第一ベース横材に直立するようにロックされ、これら前記第一受梁をそれぞれ支持させ、かつ
前記複数本の第一モジュール受材は、これら前記第一受梁に横方向にロックされることを特徴とし、
これら前記第一受梁は後端が前端よりも高くなる傾斜状態を呈し、且つこれら前記第一受梁及びこれら前記第一モジュール受材により形成される傾斜スタンド上にはソーラーパネルが敷設されることを特徴とするソーラーパネルスタンド。
【請求項２】
前記第二組スタンドは前記第一組スタンドの後方に設置される第二組スタンドを更に備え、前記第二組スタンドは、
地面に直立させるために用いられる２本の第二支柱と、
横方向に水平に設置され、且つ前記２本の第二支柱の頂部に連結される１本の第二ベース横材と、
縦方向に水平に設置される２本の第二ベース縦材であって、前記２本の第二ベース縦材の一端が前記２本の第二支柱の頂部にそれぞれ固定され、且つ前記２本の第二ベース縦材の他端が前記第一組スタンドの後方の２本の第一支柱の頂部にそれぞれ固定される、第二ベース縦材と、
縦方向に設置され、且つ連結金具によりこれら前記第一受梁の後端にそれぞれ連結される複数本の第二受梁と、
前記第二ベース横材に直立するようにロックされ、これら前記第一後束柱の後方にそれぞれ位置され、且つこれら前記第二受梁をそれぞれ支持させる複数本の第二束柱と、
これら前記第二受梁に横方向にロックされる複数本の第二モジュール受材とを更に含み、
これら前記第二受梁は後端が前端よりも高くなる傾斜状態を呈し、これら前記第二受梁の斜度はこれら前記第一受梁の斜度と同じであり、且つこれら前記第二受梁及びこれら前記第二モジュール受材により形成される傾斜スタンド上にはソーラーパネルが敷設されることを特徴とする請求項１に記載のソーラーパネルスタンド。
【請求項３】
前記第一組スタンドの右側に設置される第三組スタンドを更に備え、前記第三組スタンドは、
地面に直立させるために用いられる２本の第三支柱と、
縦方向に水平に設置され、且つ前記２本の第三支柱の頂部に連結される１本の第三ベース縦材と、
横方向に水平に設置され、左端は連結金具により前記２本の第一ベース横材の右端にそれぞれ連結され、右端に近接する箇所は前記２本の第三支柱の頂部にそれぞれ固定される２本の第三ベース横材と、
縦方向に設置される複数本の第三受梁と、
前記２本の第三ベース横材の内の前方の第三ベース横材に直立するようにロックされ、これら前記第三受梁をそれぞれ支持させる複数本の第三前束柱と、
前記２本の第三ベース横材の内の後方の第三ベース横材に直立するようにロックされ、これら前記第三受梁をそれぞれ支持させる複数本の第三後束柱と、
これら前記第三受梁に横方向にロックされる複数本の第三モジュール受材とを更に含み、
これら前記第三受梁は後端が前端よりも高くなる傾斜状態を呈し、これら前記第三受梁の斜度はこれら前記第一受梁の斜度と同じであり、且つこれら前記第三受梁及びこれら前記第三モジュール受材により形成される傾斜スタンド上にはソーラーパネルが敷設されることを特徴とする請求項１または２に記載のソーラーパネルスタンド。
【請求項４】
これら前記第三モジュール受材の左端はこれら前記第一モジュール受材の間の隙間に位置されることを特徴とする請求項３に記載のソーラーパネルスタンド。
【請求項５】
前記第一組スタンドは、
斜設され、一端は前記４本の第一支柱の内の１本に各々ロックされ、他端は前記２本の第一ベース横材の内の１本に各々ロックされる４本の第一ベース受け斜材を更に備えることを特徴とする請求項１に記載のソーラーパネルスタンド。
【請求項６】
前記第一組スタンドは、
斜設され、一端は前記２本の第一ベース横材の内の後方の第一ベース横材に各々ロックされ、他端はこれら前記第一受梁にそれぞれロックされる複数本の第一ブレースを更に備えることを特徴とする請求項１に記載のソーラーパネルスタンド。
【請求項７】
前記第一組スタンドは、
斜設され、両端はこれら前記第一後束柱の内の隣接する２本にそれぞれロックされる複数本の第二ブレースを更に備えることを特徴とする請求項１に記載のソーラーパネルスタンド。
【請求項８】
前記第一組スタンドの側面には壁部が更に装設されることを特徴とする請求項１に記載のソーラーパネルスタンド。
【請求項９】
請求項１乃至８の何れか１項に記載のソーラーパネルスタンドと、
前記ソーラーパネルスタンドに装設される複数枚のソーラーパネルと、
これら前記ソーラーパネルに電気的に接続されるインバータとを備えることを特徴とするソーラーシステム。
【請求項１０】
前記複数枚のソーラーパネルの間の隙間にはシリコーン(silicone)、排水溝、換気設計、耐風圧排気設計、または透光ガラス等で構成されるグループの内の何れかの一つに装設される設計を更に含むことを特徴とする請求項９に記載のソーラーシステム。
【考案の詳細な説明】
【技術分野】
【０００１】
本考案は、ソーラーパネルスタンド及び前記ソーラーパネルスタンドを含むソーラーシステムに関する。
【背景技術】
【０００２】
科学技術の発展に伴い、ソーラーエネルギーが広く利用されるようになっている。ソーラーシステムは主にソーラーパネルが建築物の屋上に架設されるか、或いは別途設置されるスタンドに架設され、太陽光エネルギーを吸収させて電気エネルギーに変換させて一般に使用されるために供給されるか、または電気エネルギーが蓄電される。電力会社からの給電量を減らすことで、省エネ及び二酸化炭素排出量削減の目的を達成させる。
【０００３】
従来のソーラーシステムは装設において、ソーラーパネルは一般的に規格に従って製造されるため、各ソーラーパネルは全て大きさが固定されている。ゆえに、並列方式により複数のソーラーパネルがスタンドに装設され、大きな発電量を得られるようにしている。
【考案の概要】
【考案が解決しようとする課題】
【０００４】
しかしながら、ソーラーパネルを積載させる従来のスタンドにはソーラーパネルと同様のモジュール化の設計が図られておらず、複数のソーラーパネルを並列するように装設させる場合、企画設計に多くの時間を費やし、準備に多くの材料を使用してスタンドを架設させる必要があった。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、ソーラーパネルスタンドを提供することを目的とする。
【課題を解決するための手段】
【０００７】
上述した課題を解決し、目的を達成するために、本考案に係るソーラーパネルスタンドの特徴は、第一組スタンドを備え、前記第一組スタンドは４本の第一支柱と、２本の第一ベース縦材と、２本の第一ベース横材と、複数本の第一受梁と、複数本の第一前束柱と、複数本の第一後束柱と、複数本の第一モジュール受材とを含む。４本の第一支柱は地面に直立させるために用いられ、前記４本の第一支柱は矩形の四隅にそれぞれ位置される。２本の第一ベース縦材は縦方向に水平に設置され、各第一ベース縦材は４本の第一支柱の内の２本の頂部に連結される。２本の第一ベース横材は横方向に水平に設置され、各第一ベース横材は４本の第一支柱の内の２本の頂部に連結され、且つ２本の第一ベース縦材及び２本の第一ベース横材が包囲させることにより口の字型が形成される。複数本の第一前束柱は２本の第一ベース横材の内の前方の第一ベース横材に直立するようにロックされ、且つ第一前束柱により第一受梁がそれぞれ支持される。複数本の第一後束柱は２本の第一ベース横材の内の後方の第一ベース横材に直立するようにロックされ、且つ第一後束柱により第一受梁がそれぞれ支持される。複数本の第一モジュール受材は第一受梁に横方向にロックされる。
【考案の効果】
【０００８】
本考案のソーラーパネルスタンドは、各組のスタンドに使用される部材が規格化され、架設されるスタンドがモジュール化、ユニット化され、架設コストの低減の目的を達成させる。スタンドがモジュール化されることにより縦方向及び横方向に容易に拡張可能になり、発電量が増加し、且つユニットあたりの発電量のコストも減少する。
【０００９】
なお、本考案はソーラーシステムを更に提供する。前述のソーラーパネルスタンドに複数枚のソーラーパネルが装設され、且つインバータを介してこれら前記ソーラーパネルに電気的に接続される。
【図面の簡単な説明】
【００１０】
【図１ａ】本考案に係るソーラーパネルスタンドの第一組スタンドを説明する側面図である。
【図１ｂ】本考案に係るソーラーパネルスタンドの第一組スタンドを説明する正面の構成図である。
【図１ｃ】本考案に係るソーラーパネルスタンドの第一組スタンドを説明する背面の構成図である。
【図１ｄ】本考案に係るソーラーパネルスタンドの第一組スタンドを説明する上面の構成図である。
【図２】本考案に係るソーラーパネルスタンドの第一組スタンドを説明する傾斜図である。
【図３ａ】本考案に係るソーラーパネルスタンドの第二組スタンドを説明する側面図である。
【図３ｂ】本考案に係るソーラーパネルスタンドの第二組スタンドを説明する背面の構成図である。
【図３ｃ】本考案に係るソーラーパネルスタンドの第二組スタンドを説明する上面の構成図である。
【図４】本考案のソーラーパネルスタンドの第一組及び第二組スタンドが組立された側面図である。
【図５】本考案のソーラーパネルスタンドの第一組及び第二組スタンドが組立された上面図である。
【図６ａ】本考案に係るソーラーパネルスタンドの第三組スタンドを説明する側面図である。
【図６ｂ】本考案に係るソーラーパネルスタンドの第三組スタンドを説明する正面の構成図である。
【図６ｃ】本考案に係るソーラーパネルスタンドの第三組スタンドを説明する背面の構成図である。
【図６ｄ】本考案に係るソーラーパネルスタンドの第三組スタンドを説明する上面の構成図である。
【図７】本考案のソーラーパネルスタンドの第一組及び第三組スタンドが組立された正面図である。
【図８】本考案のソーラーパネルスタンドの第一組及び第三組スタンドが組立された上面図である。
【図９】本考案のソーラーパネルスタンドを示す外観斜視図であり、２行２列のスタンドセットを含む図である。
【図１０】複数のソーラーパネルスタンドが図９に示すソーラーパネルスタンドに敷設されるソーラーシステムを示す。
【考案を実施するための形態】
【００１１】
以下、図面を参照しつつ、本考案に係るソーラーパネルスタンド及び、前記ソーラーパネルスタンドを含むソーラーシステムについて具体的に説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１２】
以下、図１ａ〜１０を参照しながら、本考案をさらに詳しく説明する。まず、図１ａ乃至図１ｄ及び図２に示されるように、本考案に係るソーラーパネルスタンドは、第一組スタンドを備え、前記第一組スタンドは第一ベース部及び第一スタンド部で構成される。第一ベース部は４本の支柱１１０と、２本のベース縦材１２０と、２本のベース横材１３０と、４本のベース受け斜材１４０とを少なくとも含む。
【００１３】
各支柱１１０の長さは同じであり、地面に直立させ、且つ矩形の四隅にそれぞれ位置される。このため、４本の支柱１１０の内の２本の支柱１１０が１本の支柱１１０の後方に各々直立させる。同様に、４本の支柱１１０の内の２本の支柱１１０が１本の支柱１１０の右方に各々直立させる。４本の支柱１１０が地面に直立させるようにするため、前後２本の支柱は１本のベース縦材１２０により連結され、左右２本の支柱は１本のベース横材１３０により連結され、その内の２本のベース縦材１２０の長さは同じであり、２本のベース横材１３０の長さも同じであり、且つベース縦材１２０の方が長い。各ベース縦材１２０は中空の正方形管で構成され、且つ縦方向に水平に両端が前後２本の支柱１１０の頂部に各々ロックされる。ベース横材１３０は中空の正方形管で構成され、且つ横方向に水平に設置され、各ベース横材１３０は左右両端に近接する箇所が左右２本の支柱１１０の頂部にそれぞれロックされる。このため、ベース縦材１２０及びベース横材１３０がロックされた後、包囲させることにより口の字型が形成される。ベース縦材１２０及びベース横材１３０が支柱１１０にロックされる方法は既知の金具によって実現され、例えば、山形鋼及びボルトを利用してロックされるが、但しこの限りではなく、他の形式の金具が使用されてもよい。ベース横材１３０と支柱１１０との間の連結角度を維持させるため、両者の間の連結箇所にガセットプレートが装設されてもよい。支柱１１０を地面により安定的に直立させるために、各支柱１１０はベース受け斜材１４０を別途利用してベース横材１３０に固定させてもよい。詳しくは、各ベース受け斜材１４０の一端は何れか１本の支柱１１０にロックされ、他端は何れか１本のベース横材１３０にロックされ、且つロックされた後のベース受け斜材１４０は約４５度傾斜される。
【００１４】
第一スタンド部は第一ベース部に装設され、且つ４本の前束柱１５０と、４本の後束柱１６０と、４本の受梁１７０と、６本のモジュール受材１８０と、４本の斜材１９０と、２本のブレース１９４と、１本のブレース１９８とを少なくとも備える。
【００１５】
各前束柱１５０の長さは同じであり、且つ山形鋼及びボルト等の適切な金具を利用して前方のベース横材１３０に直立するようにロックされる。前束柱１５０が前方のベース横材１３０に設置される方法は、左側から起算して２本目の前束柱１５０から１本目の前束柱１５０までの距離が２本目の前束柱１５０から３本目の前束柱１５０までの距離に等しく、且つ３本目の前束柱１５０から最も右側の前束柱１５０までの距離より長い。つまり、左側の３本の前束柱１５０が等間隔で設置され、最も右側の前束柱１５０から近隣の前束柱１５０までの距離の方が短い。
【００１６】
各後束柱１６０の長さは同じであり、且つ前束柱１５０の方が長い。後束柱１６０は山形鋼及びボルト等の適切な金具を利用して後方のベース横材１３０に直立するようにロックされる。後束柱１６０が後方のベース横材１３０に設置される方法は、４本の後束柱１６０が４本の前束柱１５０の真後ろにそれぞれ位置されることにより、左側の３本の後束柱１６０が同様に等間隔で設置され、且つ最も右側の後束柱１６０から近隣の後束柱１６０までの距離の方が短くなる。
【００１７】
各受梁１７０の長さは同じであり、ボルトにより前束柱１５０及び後束柱１６０の頂部の側面に縦方向にロックされる。後束柱１６０が前束柱１５０より長いため、受梁１７０が架設された後に後端が前端よりも高くなる傾斜状態を呈する。
【００１８】
各モジュール受材１８０の長さは同じであり、且つ受梁１７０よりやや長い。６本のモジュール受材１８０はほぼ等間隔で配列される方式でボルトにより４本の受梁１７０にロックされる。各モジュール受材１８０は横方向に水平に設置され、且つ受梁１７０の後端に近接するほど位置が高くなり、これにより隣接する２本の受梁１７０と隣接する２本のモジュール受材１８０との間に包囲されることにより口の字型が形成される。第一スタンド部を第一ベース部により安定的に装設させるため、４本の斜材１９０の一端が後方のベース横材１３０にロックされ、他端が４本の受梁１７０にそれぞれロックされ、且つロック後の斜材１９０が約４５度傾斜される。また、左側から起算して２本目の後束柱１６０と近隣の２本の後束柱１６０との間は１本のブレース１９４により各々連結され、左側のブレース１９４の一端は２本目の後束柱１６０の上部にロックされ、他端は１本目の後束柱１６０の下部にロックされる。右側のブレース１９４の一端は２本目の後束柱１６０の上部にロックされ、他端は３本目の後束柱１６０の下部にロックされる。最も右側の後束柱１６０と左側の後束柱１６０との間はブレース１９８により連結され、ブレース１９８の一端は最も右側の後束柱１６０の上部にロックされ、他端は右側から起算して２本目の後束柱１６０の下部にロックされる。
【００１９】
より多くのソーラーパネルを装設させてより大きな発電量を得るために、本考案では第二組スタンドが縦方向に拡張され、及び／或いは第三組スタンドが横方向に拡張される。図３ａ乃至図３ｃに示されるように、縦方向に拡張される第二組スタンドは第二ベース部及び第二スタンド部で構成され、第二ベース部は２本の支柱２１０と、２本のベース縦材２２０と、１本のベース横材２３０と、２本のベース受け斜材２４０とを少なくとも備える。
【００２０】
２本の支柱２１０の長さは同じであり、地面に直立させ、且つ１本の支柱２１０が他の１本の支柱２１０の右方に位置される。ベース横材２３０は横方向に水平に設置され、左右両端に近接する箇所は２本の支柱２１０の頂部にそれぞれロックされる。２本のベース縦材２２０は縦方向に水平に設置され、前記２本のベース縦材２２０の後端は２本の支柱２１０の頂端にそれぞれロックされる。よって、ベース縦材２２０及びベース横材２３０がロックされた後、Ｕ字型が画定される。ベース縦材２２０及びベース横材２３０が支柱２１０にロックされる方法は既知の金具によって実現され、例えば、山形鋼及びボルトによりロックされるが、但しこれに限定されず、他の形式の金具が使用されてもよい。同様に、支柱２１０を地面により安定的に直立させるため、各ベース受け斜材２４０の一端がベース横材２３０にロックされ、他端が何れか１本の支柱２１０にロックされ、且つロックされた後のベース受け斜材２４０が約４５度傾斜される。
【００２１】
第二スタンド部は第二ベース部に装設され、前記第二スタンド部は４本の束柱２６０と、４本の受梁２７０と、４本のモジュール受材２８０と、４本の斜材２９０と、２本のブレース２９４と、１本のブレース２９８とを少なくとも備える。
【００２２】
各束柱２６０の長さは同じであり、且つ後束柱１６０の長さより長く、各束柱２６０は山形鋼及びボルト等の適切な金具によりベース横材２３０に直立するようにロックされる。束柱２６０がベース横材２３０に設置される方法は、左側から起算して２本目の束柱２６０から１本目の束柱２６０までの距離が２本目の束柱２６０から３本目の束柱２６０までの距離に等しく、且つ３本目の束柱２６０から最も右側の束柱２６０までの距離よりも長くなる。つまり、左側の３本の束柱２６０が等間隔で設置され、最も右側の束柱２６０から近隣の束柱２６０までの距離の方が短くなる。
【００２３】
各受梁２７０の長さは同じであり、ボルトにより束柱２６０の頂部の側面に縦方向にロックされ、且つ受梁２７０が架設された後に後端が前端よりも高くなる傾斜状態を呈し、斜度が受梁１７０の斜度と同じとなるように設置される。
【００２４】
各モジュール受材２８０の長さは同じであり、且つ受梁２７０より長い。４本のモジュール受材２８０はほぼ等間隔に配列される方式でボルトにより４本の受梁２７０にロックされる。各モジュール受材２８０は横方向に水平に設置され、且つ受梁２７０の後端に近接する位置ほど高くなり、これにより隣接する２本の受梁２７０と隣接する２本のモジュール受材２８０との間に包囲されることにより口の字型が形成される。第二スタンド部を第二ベース部により安定的に装設させるため、４本の斜材２９０の一端がベース横材２３０にロックされ、他端が４本の受梁２７０にそれぞれロックされ、且つロックされた後の斜材２９０が約４５度傾斜される。また、左側から起算して２本目の束柱２６０と近隣の２本の束柱２６０との間は１本のブレース２９４により各々連結され、左側のブレース２９４の一端は２本目の束柱２６０の下部にロックされ、他端は１本目の束柱２６０の上部にロックされる。右側ブレース２９４の一端は２本目の束柱２６０の下部にロックされ、他端は３本目の束柱２６０の上部にロックされる。最も右側の束柱２６０と左側の束柱２６０との間はブレース２９８により連結され、ブレース２９８の一端は最も右側の束柱２６０の下部にロックされ、他端は右側から起算して２本目の束柱２６０の上部にロックされる。
【００２５】
本考案のソーラーパネルスタンドは、支柱２１０の長さが支柱１１０の長さと同じに設計され、且つ全て中空の正方形管で構成される。ベース縦材２２０の長さはベース縦材１２０の長さと同じに設計され、且つ全て中空の正方形管で構成される。ベース横材２３０の長さはベース横材１３０の長さと同じに設計され、且つ全て中空の正方形管で構成される。束柱２６０の長さは後束柱１６０より長く設計され、後束柱１６０の長さは前束柱１５０より長く設計され、且つ束柱２６０、前束柱１５０及び後束柱１６０は全てＣ型鋼で構成される。モジュール受材２８０の長さはモジュール受材１８０の長さと同じに設計され、且つ全て山形鋼で構成される。受梁２７０の長さは受梁１７０より短く設計され、且つ受梁１７０及び受梁２７０は共にリップ溝形鋼で構成される。
【００２６】
図４及び図５に示されるように、第二組スタンドが縦方向に拡張される場合、第二組スタンドが第一組スタンドの後方に設置され、且つ第二ベース部の２本のベース縦材２２０が山形鋼及びボルト等により第一ベース部の２本の後支柱１１０にそれぞれロックされ、第二スタンド部の受梁２７０の前端が山形鋼及びボルト等を利用して第一スタンド部の受梁１７０の後端にそれぞれロックされる。第二組スタンド及び第一組スタンドが連結された後、受梁２７０の斜度が受梁１７０の斜度と同じになり、第一組スタンド及び第二組スタンドの上方に斜度が同じ連続傾斜面が形成される。
【００２７】
図６ａ乃至図６に示されるように、横方向に拡張される第三組スタンドは第三ベース部及び第三スタンド部で構成され、第三ベース部は２本の支柱３１０と、１本のベース縦材３２０と、２本のベース横材３３０と、４本のベース受け斜材３４０とを少なくとも備える。
【００２８】
２本の支柱３１０の長さは同じであり、地面に直立させ、且つ１本の支柱３１０が他の１本の支柱３１０の後方に位置される。２本のベース横材３３０は横方向に水平に設置され、前記２本のベース横材３３０の右端に近接する箇所は２本の支柱３１０の頂部にそれぞれロックされる。ベース縦材３２０は縦方向に水平に設置され、その両端は２本の支柱３１０の頂端にそれぞれロックされる。これにより、ベース縦材３２０及びベース横材３３０がロックされた後、Ｕ字型が画定される。ベース縦材３２０及びベース横材３３０が支柱３１０にロックされる方法は、山形鋼及びボルト等の既知の金具によりロックが実現されるが、但しこれに限定されず、他の形式の金具が使用されてもよい。ベース横材３３０と支柱３１０との間の連結角度を維持させるため、両者の間の連結箇所にガセットプレートが装設されてもよい。支柱３１０を地面により安定的に直立させるため、２本のベース受け斜材３４０の一端が２本のベース横材３３０にそれぞれロックされ、２本のベース受け斜材３４０の他端が２本の支柱３１０にそれぞれロックされ、且つロックされた後のベース受け斜材３４０が約４５度傾斜される。また、他の２本のベース受け斜材３４０の一端は２本のベース横材３３０の左端に近接する箇所にそれぞれロックされ、他の２本のベース受け斜材３４０の他端は第一組スタンドの右側の前後の２本の支柱１１０にロックさせるためにそれぞれ使用される。
【００２９】
第三スタンド部は第三ベース部に装設され、前記第三スタンド部は２本の前束柱３５０と、２本の後束柱３６０と、２本の受梁３７０と、６本のモジュール受材３８０と、２本の斜材３９０と、２本のブレース３９４とを少なくとも備える。
２本の前束柱３５０の長さは同じであり、且つ山形鋼及びボルト等の適切な金具を利用して前方のベース横材３３０に直立するようにロックされる。前束柱３５０が前方のベース横材３３０に設置される方法は、２本の前束柱３５０の間の距離が第一組スタンドの左側の２本の前束柱１５０の間の距離に等しく、且つ右側の前束柱３５０の右側の前方の支柱３１０に近接させ、前記右側の前方の支柱３１０の左側に位置される。
【００３０】
２本の後束柱３６０の長さは同じであり、且つ前束柱３５０より長い。後束柱３６０は山形鋼及びボルト等の適切な金具により後方のベース横材３３０に直立するようにロックされる。後束柱３６０が後方のベース横材３３０に設置される方法は、２本の後束柱３６０が２本の前束柱３５０の真後ろにそれぞれ位置される。
【００３１】
２本の受梁３７０の長さは同じであり、ボルトにより前束柱３５０及び後束柱３６０の頂部の側面に縦方向にロックされる。後束柱３６０が前束柱３５０より長く、受梁３７０が架設された後に後端が前端よりも高くなる傾斜状態を呈し、且つ斜度が受梁１７０の斜度と同じとなるように設置される。
【００３２】
各モジュール受材３８０の長さは同じであり、且つ受梁３７０よりやや長い。６本のモジュール受材３８０は２本の受梁３７０に横方向に水平にロックされ、且つ互いの間には一定の距離が保持され、これにより２本の受梁３７０と隣接する２本のモジュール受材３８０との間に包囲されることにより口の字型が形成される。また、６本のモジュール受材３８０の左側はベース横材３３０の左端を超えるように延伸される。６本のモジュール受材３８０の固定方式は、前方から起算して２本目のモジュール受材３８０と３本目のモジュール受材３８０との間の距離が４本目のモジュール受材３８０と５本目のモジュール受材３８０との間の距離に等しく、且つ１本目のモジュール受材３８０と２本目のモジュール受材３８０との間の距離が３本目のモジュール受材３８０と４本目のモジュール受材３８０との間の距離に等しく、且つ５本目のモジュール受材３８０と６本目のモジュール受材３８０との間の距離にも等しい。また、１本目のモジュール受材３８０と２本目のモジュール受材３８０との間の距離が２本目のモジュール受材３８０と３本目のモジュール受材３８０との間の距離よりも長い。第三スタンド部を第三ベース部により安定的に装設させるため、２本の斜材３９０の一端が後方のベース横材３３０にロックされ、他端が２本の受梁３７０にそれぞれロックされ、且つロックされた後の斜材３９０が約４５度傾斜される。なお、２本の後束柱３６０の間は１本のブレース３９４により連結され、何れか１つのブレース３９４の一端が左方の後束柱３６０の上部にロックされ、他端が右方の後束柱３６０の下部にロックされる。ちなみに、他の１本のブレース３９４の一端が左方の後束柱３６０の上部にロックされ、他端が第一組スタンドの右側の２本目の後束柱１６０の下部にロックさせるために用いられる。
【００３３】
本考案のソーラーパネルスタンドは、支柱３１０の長さが支柱１１０の長さと同じに設計され、且つ全て中空の正方形管で構成される。ベース縦材３２０の長さはベース縦材１２０の長さと同じに設計され、且つ全て中空の正方形管で構成される。ベース横材３３０の長さはベース横材１３０より短く設計され、且つベース横材１３０及びベース横材３３０は共に中空の正方形管で構成される。前束柱３５０の長さは前束柱１５０の長さと同じに設計され、後束柱３６０の長さは後束柱１６０の長さと同じに設計され、且つ前束柱１５０、３５０及び後束柱１６０、３６０は全てＣ型鋼で構成される。受梁３７０の長さは受梁１７０の長さと同じに設計され、且つ全てリップ溝形鋼で構成される。モジュール受材３８０の長さはモジュール受材１８０の長さと同じに設計され、且つ全て山形鋼で構成される。
【００３４】
図７及び図８に示されるように、第三組スタンドが横方向に拡張される場合、第三組スタンドが第一組スタンドの右方に設置され、且つ第三ベース部の２本のベース横材３３０の左端が連結金具及びコ型ボルトにより第一ベース部の２本のベース横材１３０の右端にそれぞれロックされ、且つ左側の前後２本のベース受け斜材３４０の左端が第一ベース部の右側の前後２本の支柱１１０にそれぞれロックされる。また、第一スタンド部のブレース１９８、最も右側の受梁１７０、前束柱１５０及び後束柱１６０は全て取り外されて第三組スタンドの最も右側に装設され、第三スタンド部の左側のブレース３９４の左端は第一スタンド部の目下最も右側の後束柱１６０の下部にロックされる。その後、第三スタンド部の６本のモジュール受材３８０の左側がベース横材３３０の左端を超えるように延伸されるため、モジュール受材３８０の左端が第一スタンド部の６本のモジュール受材１８０の間の隙間に位置されてずらして設置される。第三組スタンド及び第一組スタンドが連結された後、受梁３７０の斜度が受梁１７０の斜度と同じとなり、第一組スタンド及び第三組スタンドの上方に斜度が同じとなる連続傾斜面が形成される。
【００３５】
本考案のソーラーパネルスタンドは、第二組スタンドが第一組スタンドの後方に装設される場合、適切な連結金具により固定され、且つ第二組スタンドには第一組スタンドの２本の支柱１１０及び１本のベース横材１３０が共用される。また、第二組スタンドの受梁２７０の斜度及び第一組スタンドの受梁１７０の斜度は同じであり、例えば共に１０度傾斜され、且つ受梁１７０の後端に連結される。
【００３６】
本考案のソーラーパネルスタンドは、第二組スタンドの後方に複数組のスタンドを拡張可能であり、これら前記スタンドの構造及び第二組スタンドの構造は大方同じであり、その差異は、主に後方の組のスタンドの束柱及びブレースの長さが長く、但し受梁の斜度が前方の受梁の斜度と同じとなるように設置され、且つ前方の受梁に連結される点である。後方の組のスタンドが拡張される場合、２本の支柱及び１本のベース横材が前方の組のスタンドと共用されるため、必要な部材が減少する。
【００３７】
本考案のソーラーパネルスタンドは、第三組スタンドが第一組スタンドの右方に装設される場合、適切な連結金具を利用して固定され、且つ第三組スタンドには第一組スタンドの２本の支柱１１０及び１本のベース縦材１２０が共用される。また、第三組スタンドの受梁３７０の斜度は第一組スタンドの受梁１７０の斜度と同じとなり、例えば共に１０度傾斜され、且つモジュール受材１８０及びモジュール受材３８０が互いに挿入し合う間の隙間はずらして設置される。同様に、第三組スタンドの右方も複数組のスタンドを拡張可能であり、これら前記スタンドの構造及び第二組スタンドの構造はほぼ同じであり、その差異は主に隣接する２組のスタンドのモジュール受材が互いに挿入し合う間の隙間として設けられてずらして設置される。以上から分かるように、第一組スタンド及び第三組スタンドは左方から拡張されるように設計され、その効果は同じである。
【００３８】
本考案のソーラーパネルスタンドは、第一組スタンドの後方にスタンドが縦方向に拡張される以外、第三組スタンドの後方にスタンドが縦方向に拡張され、互いに連結される２行のスタンドセットが形成されてもよい。同様に、第一組スタンドの右方にスタンドが横方向に拡張される以外、第二組スタンドの右方にスタンドが横方向に拡張され、互いに連結される２列のスタンドセットが形成されてもよい。図９は本考案の２行２列のスタンドセットを有するソーラーパネルスタンドを図示する。
【００３９】
本考案のソーラーパネルスタンドは、各組のスタンドに使用される部材が規格化され、架設されるスタンドがモジュール化、ユニット化され、架設コストの低減の目的を達成させる。スタンドがモジュール化された後には縦方向及び横方向に拡張しやすくなり、発電量も増加し、且つユニットあたりの発電量のコストも抑えられる。
【００４０】
本考案のソーラーパネルスタンドは、各ユニットのスタンドの長さ及び幅が５ｍ＊５ｍとして設計されるが、但しこの限りではない。また、日本の公式な規定に従って２００平方メートルの大きさの農地に合わせ、農地をソーラーパネルスタンド架設用に変更してもよい。よって、本考案のソーラーパネルスタンドは日本での使用にも適している。
【００４１】
本考案のソーラーパネルスタンドは、ソーラーパネルがスタンドの頂部に敷設され、且つ適切な金具により固定される。ソーラーパネルの多くは矩形であるため、複数枚のソーラーパネルが配列方式で本考案のソーラーパネルスタンド上に敷設される。図１０は複数枚のソーラーパネル４００が図９のソーラーパネルスタンド上に敷設されるソーラーシステムを図示し、前記ソーラーシステムはインバータ（図示せず）を介して出力されて商用電源と併用されてもよく、或いは蓄電池に接続されて自家用に使用されてもよい。
【００４２】
ソーラーパネルの装設後、隣接するソーラーパネルの周囲には隙間を有するため、一般的には非透光性のシリコーン(silicone)が隙間に充填されるか、或いは透光材料が隙間に充填される。また、ソーラーパネルの間には排水溝が設計されるか、或いは換気設計、耐風圧排気設計等を有する。本考案のソーラーパネルスタンドは側面に壁部が装設され、且つ在ソーラーパネルの間の隙間の位置に透光ガラスが装設されてもよい。
【００４３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００４４】
１１０  支柱
１２０  ベース縦材
１３０  ベース横材
１４０  ベース受け斜材
１５０  前束柱
１６０  後束柱
１７０  受梁
１８０  モジュール受材
１９０  斜材
１９４  ブレース
１９８  ブレース
２１０  支柱
２２０  ベース縦材
２３０  ベース横材
２４０  ベース受け斜材
２６０  束柱
２７０  受梁
２８０  モジュール受材
２９０  斜材
２９４  ブレース
２９８  ブレース
３１０  支柱
３２０  ベース縦材
３３０  ベース横材
３４０  ベース受け斜材
３５０  前束柱
３６０  後束柱
３７０  受梁
３８０  モジュール受材
３９０  斜材
３９４  ブレース
４００  ソーラーパネル
【図１ａ】
0003215694.tif 000003
【図１ｂ】
0003215694.tif 000004
【図１ｃ】
0003215694.tif 000005
【図１ｄ】
0003215694.tif 000006
【図２】
0003215694.tif 000007
【図３ａ】
0003215694.tif 000008
【図３ｂ】
0003215694.tif 000009
【図３ｃ】
0003215694.tif 000010
【図４】
0003215694.tif 000011
【図５】
0003215694.tif 000012
【図６ａ】
0003215694.tif 000013
【図６ｂ】
0003215694.tif 000014
【図６ｃ】
0003215694.tif 000015
【図６ｄ】
0003215694.tif 000016
【図７】
0003215694.tif 000017
【図８】
0003215694.tif 000018
【図９】
0003215694.tif 000019
【図１０】
0003215694.tif 000020